(57)【要約】      （修正有）【課題】固定式の紙幣垂下り防止リブを採用しつつ、紙幣に対する収納スタンバイ位置等の厳密な制約や、紙幣垂下り防止リブに形状等の工夫を要することなく、紙幣垂下り防止リブの機能を十全に働かせることの可能な紙幣収納装置を提供する。【解決手段】リフトテーブル３３の移動に基づいて紙幣１００を紙幣収納箱の内部に収納する際、紙幣１００を紙幣垂下り防止リブ３９に向けて移動させる距離Ｂを、収納スタンバイ位置に停止させた紙幣１００の端部１０１と紙幣垂下り防止リブ３９の先端との間における所定の距離Ａよりも大きく設定した。【選択図】図３
2013131030.tif 000002
【特許請求の範囲】
【請求項１】
紙幣の真偽を識別する紙幣識別装置と一体に設けられて紙幣処理装置を構成し、前記紙幣識別装置において真券と判別された紙幣を収容するための紙幣収納装置であって、
前記紙幣を整列積みして収容する紙幣収納箱と、
前記紙幣を収納スタンバイ位置に搬送する紙幣搬送路および紙幣搬送手段と、
前記紙幣搬送手段の動作を制御して前記紙幣を前記収納スタンバイ位置に停止させる紙幣停止位置制御手段と、
前記収納スタンバイ位置に在る前記紙幣を前記紙幣収納箱の内部へ移動させて整列積みする紙幣収納手段と、
前記紙幣収納箱に収納された前記紙幣の端部を押さえて紙幣搬送路に突出することを防止する固定式の紙幣垂下り防止リブとを具備して成り、
前記紙幣停止位置制御手段は、前記収納スタンバイ位置に搬送された前記紙幣の端部が、前記紙幣垂下り防止リブの先端から所定の距離だけ離れた位置に停止するよう、前記紙幣搬送手段の動作を制御し、
前記紙幣収納手段は、前記収納スタンバイ位置に在る前記紙幣に当接するリフトテーブルと、前記リフトテーブルを移動可能に支承するリンクが交差したパンタグラフ方式のリンク機構と、前記リンク機構の前記リンクが交差した箇所を垂直方向に駆動して前記リフトテーブルを移動動作させる駆動源と、前記リフトテーブルの移動空間を確保し且つ前記紙幣搬送路と前記紙幣収納箱とを区分する左右一対のスタックガイドと、前記紙幣収納箱に収納された前記紙幣を前記リフトテーブルとの間あるいは前記スタックガイドとの間において挟持するスタッカプレートと、前記スタッカプレートを前記リフトテーブルおよび前記スタックガイドに向けて付勢する付勢手段とを有し、
前記紙幣収納手段における前記リフトテーブルを、前記スタンバイ位置に在る前記紙幣を前記紙幣収納箱の内部に押し入れるよう移動させるとともに、前記紙幣を前記紙幣垂下り防止リブに向けて移動させ、このとき前記紙幣を前記紙幣垂下り防止リブに向けて移動させる距離を、前記収納スタンバイ位置に停止させた前記紙幣の端部と前記紙幣垂下り防止リブの先端との間における前記所定の距離よりも大きく設定したことを特徴とする紙幣収容装置。
【発明の詳細な説明】
【技術分野】
【０００１】
本願発明は、自動販売機やアーケードゲーム機等の機器に設置される紙幣処理装置を構成する要素であって、投入紙幣に対する真偽識別を経て真券と判別された紙幣を整列積みで収容するための紙幣収納装置に関するものである。
【背景技術】
【０００２】
図４に示す、従来の一般的な紙幣処理装置１においては、紙幣の真偽を識別する紙幣識別装置２と、真券と判別された紙幣を収容する紙幣収納装置３とが一体に設けられており、紙幣識別装置２の紙幣搬送手段２１によって紙幣が紙幣搬送路２２を通過する間にセンサ等で真券を判定し、次いで真券のみを紙幣収納装置３へ導いて後述する収納スタンバイ位置に達した紙幣を収容するよう構成されている。
【０００３】
上記紙幣収納装置３は、紙幣を積み重ねて収容するための紙幣収納箱３０と、紙幣を収納スタンバイ位置、すなわち上記紙幣収納箱３０に臨んだ所定の位置へ搬送するための紙幣搬送手段および紙幣搬送路とを備えており、この紙幣搬送手段および紙幣搬送路は、紙幣識別装置２の紙幣搬送手段２１および紙幣搬送路２２を共用している。
【０００４】
また、上記紙幣収納装置３は、収納スタンバイ位置に在る紙幣を、紙幣収納箱３０の内部に整列積みで収納させるための紙幣収納手段３２を備えている。
【０００５】
上記紙幣収納手段３２は、矩形状を呈するリフトテーブル３３と、このリフトテーブル３３を支承するリンク機構３４と、このリンク機構３４を介してリフトテーブル３３を移動させる駆動源(図示せず)とを有し、モータ等から成る駆動源の動力によって、上記リフトテーブル３３は紙幣の印刷面と当接しつつ該紙幣を紙幣収納箱３０の内部へ押し入れる態様で、紙幣と接する面と垂直を成す図中上下方向に沿って平行移動する。
【０００６】
また、上記紙幣収納手段３２は、移動するリフトテーブル３３と協働して紙幣を挟持するためのスタッカプレート３５を有し、このスタッカプレート３５は、紙幣収納箱３０の内部に設置されているとともに、付勢手段としてのコイルバネ３６によってリフトテーブル３３に向けて図中上方へ付勢されている。
【０００７】
さらに、上記紙幣収納手段３２は、スタッカプレート３５の待機位置を決め、かつ紙幣の収納スタンバイ位置と紙幣収納箱３０の内部との境界を構成するスタックガイド３７を有している。
【０００８】
また、上記紙幣収納装置３は、紙幣の収納スタンバイ位置と紙幣収納箱３０の内部との間であって、収納スタンバイ位置に在る紙幣の搬送方向後方側の端部近傍に設けられた紙幣垂下り防止レバー３８を有している。
【０００９】
ここで、紙幣垂下り防止レバー３８は可倒式であって、常態では紙幣の搬送方向に延在する初期位置に在り、リフトテーブル３３の移動に伴って押し入れられる紙幣に押されて紙幣収納箱３０の内方へ揺動し、紙幣が通過した後はバネ等の付勢手段によって上述した初期位置に復帰するよう構成されている。
【００１０】
上記構成の紙幣収納装置３において、紙幣が収納スタンバイ位置に到達して停止すると、紙幣収納手段３２のリフトテーブル３３が図中下方へ移動を開始し、当接した紙幣を収納スタンバイ位置から紙幣収納箱３０の内部に向けて移動させることとなる。
【００１１】
紙幣は、紙幣垂下り防止レバー３８を揺動させつつ移動し、上記紙幣垂下り防止レバー３８を通過してスタックガイド３７に到達すると、リフトテーブル３３と当接していない左右の縁部が湾曲され、次いでスタッカプレート３５に当接してリフトテーブル３３との間に挟持され、さらに移動することでスタックガイド３７から左右の縁部が外れて紙幣収納箱３０の内部に達する。
【００１２】
上記リフトテーブル３３は、紙幣収納箱３０の内部における最大移動位置に到達したのち逆行を開始し、スタッカプレート３５との間に挟持された紙幣を図中上方へ移動させ、スタックガイド３７に当接することで紙幣とスタッカプレート３５は停止し、リフトテーブル３３のみが逆行して初期位置において停止する。
【００１３】
ここで、紙幣収納箱３０の内部における紙幣は、コイルバネ３６で付勢されているスタッカープレート３５により、スタックガイド３７に押し付けられる態様で紙幣収納箱３０に収納され、また、紙幣が通過したのち初期位置に復帰している紙幣垂下り防止レバー３８により、紙幣を収納スタンバイ位置に搬送する紙幣搬送路に対して突出することを未然に防止されている。
【先行技術文献】
【特許文献】
【００１４】
【特許文献１】特開２００５−５０２５４号公報
【発明の概要】
【発明が解決しようとする課題】
【００１５】
上述の如く可倒式の紙幣垂下り防止レバーは、紙幣収納箱に収納した紙幣の端部が紙幣搬送路側に突出することを防ぐことで、搬送される紙幣と収納された紙幣とが衝突して紙幣詰まりを起こすことは無いという有効な手段である。
【００１６】
ところで、製品としては如何に有効な手段であってもコスト低減策の対象として扱うことになり、可倒式紙幣垂下り防止レバーも例外ではない。
【００１７】
そこで、従来の紙幣収納装置におけるコスト低減策の１つとして、可倒式の紙幣垂下り防止レバーの機能を活かして部品点数及び組立工数を削減した固定式の紙幣垂下り防止リブを採用した紙幣収納装置が提供されている。
【００１８】
すなわち、図５に示した紙幣収納装置３では、可倒式の紙幣垂下り防止レバー３８(図４参照)に替えて、紙幣の搬送方向(図中の水平方向)に延在する固定式の紙幣垂下り防止リブ４０を具備している。
【００１９】
この紙幣垂下り防止リブ４０を採用した紙幣収納装置３では、紙幣収納箱３０(図４参照)に紙幣１００を収納する際、紙幣垂下り防止リブ４０に引掛かって紙幣１００が破れることを防ぐため、紙幣収納手段３２のリフトテーブル３３を平行移動させるのではなく、図５の(ａ)〜(ｄ)に示す如く、紙幣収納箱３０(図４参照)に進入しつつ紙幣垂下り防止リブ４０から遠ざかる態様で、上記リフトテーブル３３を斜め方向に移動させている。
【００２０】
このとき、リフトテーブル３３の移動に伴う紙幣１００の水平移動距離を、図５(ａ)に示す如く収納スタンバイ位置において紙幣１００の端部１０１が紙幣垂下り防止リブ４０と重なる距離ｄ以下に設定しないと、図５(ｄ)に示す如く紙幣１００の端部１０１を紙幣垂下り防止リブ４０で押さえることができない。
【００２１】
ここで、収納時における紙幣１００の損傷を防ぐためには、紙幣垂下り防止リブ４０との接触を減ずるよう、収納スタンバイ位置における紙幣１００の端部１０１を、紙幣垂下り防止リブ４０の先端近くに位置させることが好ましいが、反面、紙幣垂下り防止リブ４０によって紙幣１００を押さえる機能が損なわれる虞れがある。
【００２２】
また、収納時における紙幣１００の損傷を防ぐには、紙幣１００の端部１０１が紙幣垂下り防止リブ４０をスムーズに通過し得るよう、紙幣垂下り防止リブ４０を形成したり、ローラ(図示せず)等を設けて摩擦を減ずる工夫が必要となる。
【００２３】
このように、紙幣収納装置に固定式の紙幣垂下り防止リブを採用する場合、紙幣に対する収納スタンバイ位置や移動量の厳密な制約を強いられるとともに、紙幣垂下り防止リブの形状や付加機構に工夫を要するため、固定式の紙幣垂下り防止リブを備えた紙幣収納装置を実現するのは困難であった。
【００２４】
本願発明の目的は、上述の如き実状に鑑みて、固定式の紙幣垂下り防止リブを採用しつつ、紙幣の移動に係る厳密な制約や、紙幣垂下り防止リブの形状等に工夫を要することなく、紙幣垂下り防止リブの機能を十全に働かせることの可能な紙幣収納装置を提供することにある。
【課題を解決するための手段】
【００２５】
上記目的を達成するべく、本願発明に係る紙幣収納装置は、紙幣を整列積みして収容する紙幣収納箱と、紙幣を収納スタンバイ位置に搬送する紙幣搬送路および紙幣搬送手段と、紙幣搬送手段の動作を制御して紙幣を収納スタンバイ位置に停止させる紙幣停止位置制御手段と、収納スタンバイ位置に在る紙幣を紙幣収納箱の内部へ移動させて整列積みする紙幣収納手段と、紙幣収納箱に収納された紙幣の端部を押さえて紙幣搬送路に突出することを防止する固定式の紙幣垂下り防止リブとを備えている。  
また、上記紙幣停止位置制御手段によって、収納スタンバイ位置に搬送された紙幣の先端が、紙幣垂下り防止リブの先端から所定の距離だけ離れた位置に停止するよう紙幣搬送手段の動作を制御している。  
また、紙幣収納手段は、収納スタンバイ位置に在る紙幣に当接するリフトテーブルと、リフトテーブルを移動可能に支承するリンクが交差したパンタグラフ方式のリンク機構と、リンク機構のリンクが交差した箇所を垂直方向に駆動してリフトテーブルを移動動作させる駆動源と、リフトテーブルの移動空間を確保し且つ紙幣搬送路と紙幣収納箱とを区分する左右一対のスタックガイドと、紙幣収納箱に収納された紙幣をリフトテーブルとの間あるいはスタックガイドとの間において挟持するスタッカプレートと、スタッカプレートをリフトテーブルおよびスタックガイドに向けて付勢する付勢手段とを有している。  
そして、紙幣収納手段におけるリフトテーブルを、スタンバイ位置に在る紙幣を紙幣収納箱の内部に押し入れるよう移動させるとともに、紙幣を紙幣垂下り防止リブに向けて移動させる際、紙幣を紙幣垂下り防止リブに向けて移動させる距離を、収納スタンバイ位置に停止させた紙幣の端部と紙幣垂下り防止リブの先端との間における所定の距離よりも大きく設定している。
【発明の効果】
【００２６】
上述した本願発明に係る紙幣収納装置の構成によれば、収納スタンバイ位置に搬送されて停止した紙幣の先端を、紙幣垂下がり防止リブの先端から所定の距離だけ離れた位置としたことで、リフトテーブルの移動に基づいて紙幣を紙幣収納箱の内部に収納する際、紙幣垂下り防止リブに紙幣との摩擦を解消するための工夫を要することなく、紙幣垂下り防止リブによる紙幣の損傷を未然に防止することができる。
【００２７】
また、本願発明に係る紙幣収納装置の構成によれば、リフトテーブルの移動に基づいて紙幣を紙幣収納箱の内部に収納する際、紙幣を紙幣垂下り防止リブに向けて移動させる距離を、収納スタンバイ位置に停止させた紙幣の端部と紙幣垂下り防止リブの先端との間における所定の距離よりも大きく設定したことで、紙幣収納箱に収納された紙幣の端部が紙幣垂下り防止リブと確実に当接することとなり、もって収納された紙幣の端部が紙幣搬送路に飛び出すことを未然に防止するという、紙幣垂下り防止リブの機能を十全に働かせることが可能となる。
【図面の簡単な説明】
【００２８】
【図１】本願発明に係る紙幣収納装置を備えた紙幣処理装置の全体構成を示す概念的な断面側面図。
【図２】本願発明に係る紙幣収納装置の紙幣収納手段におけるリンク機構およびリフトテーブルの動作態様を示す概念図。
【図３】(ａ)、(ｂ)、（ｃ）、および(ｄ)は、固定式の紙幣垂下り防止リブを備えた本願発明に係る紙幣収容装置による紙幣の収容動作を順を追って示す概念図。
【図４】可倒式の紙幣垂下り防止レバーを有する紙幣収容装置を備えた従来の紙幣処理装置における全体構成を示す概念的な断面側面図。
【図５】(ａ)、(ｂ)、（ｃ）、および(ｄ)は、固定式の紙幣垂下り防止リブを備えて成る従来の紙幣収容装置による紙幣の収容動作を順を追って示す概念図。
【発明を実施するための形態】
【００２９】
以下、本願発明に係る紙幣収納装置の構成を、実施例を示す図面を参照しつつ詳細に説明する。
【００３０】
図１は、本願発明に係る紙幣収容装置を採用した紙幣処理装置の一実施例を示しており、この紙幣処理装置１では、紙幣の真偽を識別する紙幣識別装置２と、真券と判別された紙幣を収容する紙幣収納装置３とが一体に設けられ、紙幣識別装置２の紙幣搬送手段２１によって紙幣が紙幣搬送路２２を通過する間にセンサ等で真券を判定し、次いで真券のみを紙幣収納装置３へ導いて収納スタンバイ位置に達した紙幣を収容するよう構成されている。
【００３１】
上記紙幣収納装置３は、紙幣を積み重ねて収容するための紙幣収納箱３０と、紙幣を収納スタンバイ位置へ搬送するための紙幣搬送手段および紙幣搬送路とを備えており、上記紙幣搬送手段は、紙幣に当接する搬送ベルトおよび搬送ローラと、これらを駆動するモータ(図示せず)等から構成されている。なお、上記紙幣搬送手段および紙幣搬送路は、紙幣識別装置２の紙幣搬送手段２１および紙幣搬送路２２と同一のもので、すなわち、紙幣識別装置２と紙幣収納装置３とは、１つの紙幣搬送手段２１と紙幣搬送路２２とを共用している。
【００３２】
また、上記紙幣収納装置３は、紙幣の位置を検出するセンサ(図示せず)からの情報に基づき、前記紙幣搬送手段２１の動作を制御することによって、紙幣を収納スタンバイ位置に停止させるための紙幣停止位置制御手段３１を備えている。
【００３３】
さらに、上記紙幣収納装置３は、収納スタンバイ位置に在る紙幣を、紙幣収納箱３０の内部に整列積みで収納させるための紙幣収納手段３２を具備している。
【００３４】
上記紙幣収納手段３２は、紙幣長と略同一の長さ寸法と紙幣幅よりも狭い幅寸法とを持つ矩形状のリフトテーブル３３と、このリフトテーブル３３を移動可能に支承するリンク機構３４と、このリンク機構３４を介してリフトテーブル３３を移動動作させるモータ等の駆動源(図示せず)とを有している。
【００３５】
ここで、図２に示す如く上記リンク機構３４は、交差した第１リンクアーム３４１と第２リンクアーム３４２とを有するパンタグラフ方式の機構であって、第１リンクアーム３４１の基端３４１ａと、第２リンクアーム３４２の基端３４２ａとは、共に装置筐体の所定箇所に支持され、また第１リンクアーム３４１の自由端３４１ｂは、リフトテーブル３３の所定位置に支持されている一方、第２リンクアーム３４２の自由端３４２ｂは、リフトテーブル３３に沿って移動自在かつ回動可能に支持されている。
【００３６】
さらに、第１リンクアーム３４１と第２リンクアーム３４２との交差箇所は、両リンクアーム３４１、３４２の長手方向に沿って移動自在な支承ピン３４３によって連結され、モータ等の駆動源(図示せず)により上記支承ピン３４３を垂直方向(図中の上下方向)に駆動することで、上記リフトテーブル３３の移動動作が為される。
【００３７】
すなわち、図２のI）、II）、III）に示す如く、リンク機構３４の支承ピン３４３を矢印ｆ方向に駆動すると、第１リンクアーム３４１の揺動（自由端３４１ｂの円弧運動）により、上記リフトテーブル３３は、距離Ｘ、Ｘ′で示す如く図中の下方へ移動するとともに、距離Ｙ、Ｙ′で示す如く図中の右方へ移動することとなる。
【００３８】
また、図１に示す如く、上記紙幣収納手段３２は、移動するリフトテーブル３３と協働して紙幣を挟持するためのスタッカプレート３５を有し、このスタッカプレート３５は、紙幣収納箱３０の内部に設置されているとともに、付勢手段としてのコイルバネ３６によってリフトテーブル３３に向けて図中上方へ付勢されている。
【００３９】
さらに、紙幣収納手段３２は、上記リフトテーブル３３の移動空間を確保して設置された左右一対のスタックガイド３７を有し、これらのスタックガイド３７は、紙幣の側縁をガイドする紙幣搬送路３７１が形成され、紙幣が収納スタンバイ位置を占める上記紙幣搬送路３７１と紙幣収納箱３０の内部とを区分するとともに、スタッカプレート３５の待機位置を決める働きをする。
【００４０】
また、上記紙幣収納装置３は、紙幣の収納スタンバイ位置と紙幣収納箱３０の内部との間であって、収納スタンバイ位置に在る紙幣の搬送方向後方側の端部近傍に設けられた、紙幣の搬送方向に延在する固定式の紙幣垂下り防止リブ３９を具備している。
【００４１】
上記構成の紙幣収納装置３において、図３(ａ)に示す如く、紙幣１００が収納スタンバイ位置に到達して停止すると、紙幣収納手段３２のリフトテーブル３３が移動を開始し、当接した紙幣１００を収納スタンバイ位置から紙幣収納箱３０(図１参照)の内部に向けて移動させることとなる。
【００４２】
ここで、図３(ａ)において紙幣収納装置３に搬送されてきた紙幣１００は、先に詳述した紙幣停止位置制御手段３１(図１参照)で紙幣搬送手段２１の動作が制御されることにより、その端部１０１が紙幣垂下り防止リブ３９の先端から所定の距離Ａだけ離れた収納スタンバイ位置に停止することとなる。
【００４３】
図３(ｂ)、(ｃ)に示す如く、上記リフトテーブル３３の移動に伴い、紙幣１００は、左右一対のスタックガイド３７によって、リフトテーブル３３と当接していない左右の縁部が湾曲され、次いでスタッカプレート３５に当接してリフトテーブル３３との間に挟持され、さらに移動することでスタックガイド３７から左右の縁部が外れて紙幣収納箱３０の内部に達する。
【００４４】
ここで、図２を示して詳述した如く、リンク機構３４(図１、２参照)の働きによって上記リフトテーブル３３、言い換えればリフトテーブル３３とスタッカプレート３５とに挟持された紙幣１００は、紙幣収納箱３０の内部に押し入れられるとともに、紙幣垂下り防止リブ３９に向けて移動される態様で、図３(ｂ)、(ｃ)において黒矢印で示した如く斜行することとなる。
【００４５】
このとき、図３(ａ)に示した如く、収納スタンバイ位置における紙幣１００の端部１０１は、紙幣垂下り防止リブ３９の先端から所定の距離Ａだけ離れているため、リフトテーブル３３の移動に伴って斜行する紙幣１００の端部１０１が、紙幣垂下り防止リブ３９と接触することを未然に回避できる。
【００４６】
上記リフトテーブル３３は、図３(ｃ)に示した最大移動位置に到達したのち逆行を開始し、図３(ｄ)に示す如くスタックガイド３７に当接することで紙幣１００とスタッカプレート３５の逆行は停止し、リフトテーブル３３のみが逆行を続行し初期位置において停止することとなる。
【００４７】
ここで、紙幣収納箱３０の内部における紙幣１００は、コイルバネ３６で付勢されているスタッカープレート３５により、スタックガイド３７に押し付けられる態様で収納保持され、また紙幣垂下り防止リブ３９によって紙幣１００の端部１０１が押さえられることで、収容された紙幣１００の端部１０１が不用意に紙幣搬送路３７１(図１参照)へ飛び出すことはない。
【００４８】
このとき、リフトテーブル３３の移動によって紙幣１００を紙幣収納箱３０に収納する際、紙幣１００を紙幣垂下り防止リブ３９に向けて移動させる距離Ｂを、収納スタンバイ位置における紙幣１００と紙幣垂下り防止リブ３９との所定の距離Ａ(図３(ａ)参照)よりも大きく設定したことで、図３(ｄ)で示す如く紙幣収納箱３０に収納された紙幣１００の端部１０１は、紙幣垂下り防止リブ３９に対して確実に当接することは言うまでもない。
【００４９】
以上、詳述したように、本実施例に係る紙幣収納装置３によれば、収納スタンバイ位置に搬送されて停止した紙幣１００の先端１０１を、紙幣垂下がり防止リブ３９の先端から所定の距離Ａだけ離れた位置としたことで、リフトテーブル３３の移動に基づいて紙幣１００を紙幣収納箱３０の内部に収納する際、紙幣垂下がり防止リブ３９に紙幣１００が接触することを回避できるので、紙幣垂下り防止リブ３９に紙幣１００との摩擦を解消するための工夫を要することなく、紙幣垂下り防止リブ３９による紙幣１００の損傷を未然に防止することができる。
【００５０】
また、本実施例に係る紙幣収納装置３によれば、リフトテーブル３３の移動に基づいて紙幣１００を紙幣収納箱３０の内部に収納する際、紙幣１００を紙幣垂下り防止リブ３９に向けて移動させる距離Ｂを、収納スタンバイ位置に停止させた紙幣１００の端部１０１と紙幣垂下り防止リブ３９の先端との間における所定の距離Ａよりも大きく設定したことで、紙幣収納箱３０に収納された紙幣１００の端部１０１が紙幣垂下り防止リブ３９と確実に当接することとなり、もって収納された紙幣１００の端部１０１が紙幣搬送路３７１に飛び出すことを未然に防止するという、紙幣垂下り防止リブ３９の機能を十全に働かせることが可能となる。
【符号の説明】
【００５１】
１…紙幣処理装置、
２…紙幣識別装置、
２１…紙幣搬送手段、
２２…紙幣搬送路、
３…紙幣収納装置、
３０…紙幣収納箱、
３１…紙幣停止位置制御手段、
３２…紙幣収納手段、
３３…リフトテーブル、
３４…リンク機構、
３５…スタッカプレート、
３６…コイルバネ(付勢手段)、
３７…スタックガイド、
３７１…紙幣搬送路、
３９…紙幣垂下り防止リブ、
１００…紙幣、
１０１…端部。
【図１】
2013131030.tif 000003
【図２】
2013131030.tif 000004
【図３】
2013131030.tif 000005
【図４】
2013131030.tif 000006
【図５】
2013131030.tif 000007